(57)【要約】【課題】画像の表示に要するコストを低減すると共に、表示させる画像を容易に変更し得る画像投影装置を提供する。【解決手段】入力した画像データＤｇに基づいて光透過性フィルム１０に画像を印刷するインクジェット式プリンタ１１および印刷制御部１６からなる画像印刷部と、光透過性フィルム１０における画像の印刷部位にＬＥＤ２１からの光を透過させて、印刷した画像を壁面３等の投影対象体に投影表示する画像投影部１２とを備えている。【選択図】図１
2006047610.tif 000002
【特許請求の範囲】
【請求項１】
入力した画像データに基づいて光透過性フィルムに画像を印刷する画像印刷部と、前記光透過性フィルムにおける前記画像の印刷部位に光源からの光を透過させて当該画像を投影対象体に投影表示する画像投影部とを備えている画像投影装置。
【請求項２】
前記光透過性フィルムの送り出しおよび巻き戻しを実行するフィルム送り機構と、当該フィルム送り機構を制御して前記光透過性フィルムの前記印刷部位を少なくとも前記画像印刷部による印刷処理位置から前記画像投影部による画像投影処理位置までの間を移動させる制御部とを備えている請求項１記載の画像投影装置。
【請求項３】
前記画像印刷部は、前記投影対象体に投影表示する前記画像を表示条件により補正するための所定の補正値に基づいて前記画像データを補正処理して補正後画像データを生成すると共に当該生成した補正後画像データに基づいて前記画像を前記光透過性フィルムに印刷する請求項１または２記載の画像投影装置。
【請求項４】
前記画像印刷部は、前記所定の補正値に基づいて前記画像データを台形歪み補正処理して前記補正後画像データを生成する請求項３記載の画像投影装置。
【請求項５】
当該画像投影装置の傾きを検出する検出部を備え、前記画像印刷部は、前記検出部によって検出された前記傾きに応じて予め規定された前記所定の補正値に基づいて前記画像データに対する前記補正処理を実行する請求項４記載の画像投影装置。
【請求項６】
前記画像印刷部は、前記光透過性フィルムとしての帯状フィルムに前記画像を印刷する請求項１から５のいずれかに記載の画像投影装置。
【請求項７】
外部装置から出力された前記画像データを取得する画像データ取得部を備え、前記画像印刷部は、取得した前記画像データに基づいて前記光透過性フィルムに前記画像を印刷する請求項１から６のいずれかに記載の画像投影装置。
【請求項８】
請求項７記載の画像投影装置と、前記外部装置としての画像データ配信サーバとを備え、前記画像データ配信サーバは、通信網を介して前記画像投影装置に前記画像データを配信し、前記画像投影装置は、前記通信網を介して配信された前記画像データに基づく前記画像を前記投影対象体に投影表示する画像投影システム。
【発明の詳細な説明】
【技術分野】
【０００１】
本発明は、壁面等の投影対象体に画像を投影する画像投影装置および画像投影システムに関するものである。
【背景技術】
【０００２】
この種の画像投影装置として、スライドフィルムに写された広告画像等を半透明スクリーンに投影表示する広告装置が特開平８−１４６８９１号公報に開示されている。この広告装置では、スライド映写装置にスライドフィルムをセットした状態においてメタルハライドランプ（以下、「ランプ」ともいう）が点灯させられたときに、ランプからの光がスライドフィルムを透過してレンズから半透明スクリーンに向けて投射される。これにより、半透明スクリーンに広告画像が投影される。一方、特開平６−４３８２１号公報には、ガラスドアに貼付した透明シート（スクリーン）に各種メッセージ（メッセージを表す画像）を投射表示する店頭ディスプレイ装置が開示されている。この店頭ディスプレイ装置では、液晶ビデオプロジェクタが入力したデータに基づいて光変調した光をスクリーンに向けて投射することにより、スクリーンに「今月の定休日」などのメッセージが投射表示される。
【特許文献１】特開平８−１４６８９１号公報（第２−４頁、第１−７図）
【特許文献２】特開平６−０４３８２１号公報（第２−３頁、第１−３図）
【発明の開示】
【発明が解決しようとする課題】
【０００３】
ところが、従来の広告装置には、以下の問題点がある。すなわち、従来の広告装置では、広告画像等が写されたスライドフィルムにランプからの光を透過させてスクリーンに広告画像を投影表示している。したがって、新たな広告画像を投影表示するときには、新たな広告画像が写されたスライドフィルムをスライド映写装置にセットする必要がある。この場合、例えば、全国各地に点在する各チェーン店にこの広告装置を設置して同一の広告画像を表示させるときには、同一の広告画像が写されたスライドフィルムを各チェーン店にそれぞれ送付して、スライド映写装置にセットする必要がある。このため、従来の広告装置には、新たな広告画像を表示させる際の画像変更作業が非常に煩雑であるという問題点が存在する。また、従来の広告装置では、スライド映写装置および半透明スクリーンの双方が筐状ケーシングに取り付けられている。しかし、例えば、全国各地の各チェーン店にこの広告装置を設置する場合、各チェーン店に同一サイズの筐状ケーシングを設置するのが困難であるため、スライド映写装置と半透明スクリーンとの位置関係（半透明スクリーンに対する光軸の交差角度や、両者間の距離等）に各チェーン店毎の差異が生じる。したがって、同一の広告画像が写されたスライドフィルムを各チェーン店で投影表示した際に、広告画像に台形歪みが生じる店と歪みが生じない店とが生じ、しかも台形歪みが生じるチェーン店のなかでも歪みの度合が大きく相違する。このように、従来の広告装置には、複数の設置場所において見た目が同じ広告画像を表示させるのが困難であるという問題点が存在する。
【０００４】
一方、従来の店頭ディスプレイ装置では、液晶ビデオプロジェクタによって各種メッセージを投射表示する構成が採用されている。したがって、新たな広告画像を表示させる際にスライドフィルムを各チェーン店に送付してセットする上記の広告装置とは異なり、インターネットや公衆回線網を介して表示対象の画像についてのディジタルデータ（画像データ）を配信して容易に変更することが可能となっている。また、近年の液晶ビデオプロジェクタのなかには、設置環境（スクリーン等の表示対象体とプロジェクタとの位置関係）に応じて台形歪み補正処理を実行可能に構成されたものがある。したがって、設置環境が相違する複数の設置場所において見た目が同じ広告画像を表示させることが可能となる。しかし、この種の液晶ビデオプロジェクタでは、液晶シャッター（液晶パネル：光変調素子）の光透過率が低いため（一例として、光透過率が３０％程度）、昼間でも認識可能に画像を投射表示するには、十分に明るい光源を採用する必要がある。したがって、この光源による電力消費量が多いため、従来の店頭ディスプレイ装置には、画像を表示させるためのコストが高騰しているという問題点がある。また、従来の店頭ディスプレイ装置では、例えば定休日を表す画像のような静止画像を表示させているときにも液晶シャッターを常時作動させて光源からの光を光変調させ続ける必要がある。この場合、液晶シャッターの作動に要する電力量が比較的多いため、従来の店頭ディスプレイ装置には、液晶シャッタの作動に要する電力量の分だけ画像を表示させるためのコストがさらに高騰しているという問題点がある。さらに、液晶ビデオプロジェクタがスライド映写装置等と比較して非常に高価であるという問題点もある。
【０００５】
本発明は、かかる問題点に鑑みてなされたものであり、画像の表示に要するコストを低減すると共に、表示させる画像を容易に変更し得る画像投影装置および画像投影システムを提供することを主目的とする。また、投影対象体の設置環境等に影響されない画像を表示し得る画像投影装置および画像投影システムを提供することを他の目的とする。
【課題を解決するための手段】
【０００６】
上記目的を達成すべく本発明に係る画像投影装置は、入力した画像データに基づいて光透過性フィルムに画像を印刷する画像印刷部と、前記光透過性フィルムにおける前記画像の印刷部位に光源からの光を透過させて当該画像を投影対象体に投影表示する画像投影部とを備えている。
【０００７】
この画像投影装置では、画像データに基づいて画像印刷部が光透過性フィルムに画像を印刷し、画像投影部が光透過性フィルムにおける画像の印刷部位に光源からの光を透過させて画像を投影対象体に投影表示する。これにより、この画像投影装置によれば、従来の広告装置とは異なり、スライドフィルム等を送付することなく、画像データを配布するだけで画像印刷部によって画像を印刷して投影表示することができる。したがって、投影表示させる画像を容易に変更することができる。また、光変調素子を有する液晶プロジェクタに比べて光変調素子への電力消費量が削減されるので画像の表示に要するコストを低減することができる。さらに、画像投影装置が液晶ビデオプロジェクタよりも十分に安価のため画像の表示に要するコストを一層低減することができる。
【０００８】
また、本発明に係る画像投影装置は、上記の画像投影装置において、前記光透過性フィルムの送り出しおよび巻き戻しを実行するフィルム送り機構と、当該フィルム送り機構を制御して前記光透過性フィルムの前記印刷部位を少なくとも前記画像印刷部による印刷処理位置から前記画像投影部による画像投影処理位置までの間を移動させる制御部とを備えている。
【０００９】
この画像投影装置では、制御部がフィルム送り機構を制御して印刷部位を少なくとも印刷処理位置から画像投影処理位置までの間を移動させる。これにより、この画像投影装置によれば、例えば画像印刷部によって画像の印刷が完了した後に光透過性フィルムを印刷処理位置から画像投影処理位置まで手動で移動させる構成と比較して、投影表示させる画像を一層容易に変更することができる。
【００１０】
さらに、本発明に係る画像投影装置は、上記の画像投影装置において、前記画像印刷部が、前記投影対象体に投影表示する前記画像を表示条件により補正するための所定の補正値に基づいて前記画像データを補正処理して補正後画像データを生成すると共に当該生成した補正後画像データに基づいて前記画像を前記光透過性フィルムに印刷する。
【００１１】
この画像投影装置では、画像印刷部が表示条件により補正された状態で画像が投影表示されるように画像データを補正処理して補正後画像データを生成して補正後画像データに基づく画像を光透過性フィルムに印刷する。これにより、この画像投影装置によれば、例えば、ベースの色が相違する投影対象体に見た目が同じ画像を表示させることができる。
【００１２】
また、本発明に係る画像投影装置は、上記の画像投影装置において、前記画像印刷部が前記所定の補正値に基づいて前記画像データを台形歪み補正処理して前記補正後画像データを生成する。
【００１３】
この画像投影装置では、画像印刷部が台形歪み補正された状態で画像が投影表示されるように画像データを補正処理して補正後画像データを生成する。これにより、この画像投影装置によれば、例えば、設置環境の統一を図るのが困難な全国各地のチェーン店において、見た目が同じ画像を表示させることができる。
【００１４】
さらに、本発明に係る画像投影装置は、上記の画像投影装置において、当該画像投影装置の傾きを検出する検出部を備え、前記画像印刷部が、前記検出部によって検出された前記傾きに応じて予め規定された前記所定の補正値に基づいて前記画像データに対する前記補正処理を実行する。
【００１５】
この画像投影装置では、画像印刷部が検出部によって検出された傾きに応じて画像データを補正処理する。これにより、この画像投影装置によれば、例えば、画像投影装置の傾きに応じて台形歪み補正量を手動で設定して画像を印刷させる構成と比較して、台形歪みのない画像を容易に投影表示させることができる。
【００１６】
また、本発明に係る画像投影装置は、上記の画像投影装置において、前記画像印刷部が前記光透過性フィルムとしての帯状フィルムに前記画像を印刷する。
【００１７】
この画像投影装置では、画像印刷部が帯状フィルムに画像を印刷する。これにより、この画像投影装置によれば、例えば、シート状の光透過性フィルムに画像を印刷する構成と比較して、フィルム送り機構によるフィルム送りを容易に実施することができる。
【００１８】
さらに、本発明に係る画像投影装置は、上記の画像投影装置において、外部装置から出力された前記画像データを取得する画像データ取得部を備え、前記画像印刷部が、取得した前記画像データに基づいて前記光透過性フィルムに前記画像を印刷する。
【００１９】
また、本発明に係る画像投影システムは、上記の画像投影装置と、前記外部装置としての画像データ配信サーバとを備え、前記画像データ配信サーバが、通信網を介して前記画像投影装置に前記画像データを配信し、前記画像投影装置が、前記通信網を介して配信された前記画像データに基づく前記画像を前記投影対象体に投影表示する。
【００２０】
この画像投影装置および画像投影システムでは、画像データ配信サーバが通信網を介して画像データを配信し、画像投影装置が配信された画像データに基づく画像を投影対象体に投影表示する。これにより、この画像投影システムによれば、例えば、画像投影装置の管理者がパソコン等を用いて画像データ配信サーバから画像データを受信して画像投影装置に記憶させて印刷および表示させるのとは異なり、画像投影装置単体で画像データの取得から画像の投影表示までの一連の処理を実行することができる。したがって、上記の例におけるパソコン等の設備を不要にできる結果、画像の表示に要するコストをさらに低減することができる。
【発明を実施するための最良の形態】
【００２１】
以下、添付図面を参照して、本発明に係る画像投影装置および画像投影システムの最良の形態について説明する。図１に示す広告表示システムＳ１は、本発明に係る画像投影システムの一例であって、画像データ配信サーバ１と、複数の画像投影装置２，２・・とが公衆回線網５を介して接続されて構成されている。この広告表示システムＳ１は、一例として、全国各地に点在する各チェーン店に同一の広告画像（図３に示す広告画像Ｇ等）を表示させるために用いられる。また、画像データ配信サーバ（以下、「サーバ」ともいう）１は、例えば画像投影装置２，２・・が設置される各チェーン店の本社や、このシステムの管理業務を委託された業者内に設置されて、各チェーン店に設置されている画像投影装置２，２・・に向けて広告画像についての画像データＤｇを定期的に配信する。なお、この広告表示システムＳ１では、公衆回線網５（本発明における通信網の一例）を介して画像データＤｇを各画像投影装置２，２・・に配信する構成を採用しているが、公衆回線網５に代えて、インターネットや無線通信網等の各種通信網を介して画像データＤｇを画像データ配信サーバ１から各画像投影装置２，２・・に配信する構成を採用することもできる。
【００２２】
画像投影装置２は、各チェーン店に設置されて、チェーン店の壁面３や、スクリーンフィルムを貼付したウィンドウ４等（投影対象体の一例）に画像データＤｇに基づく広告画像Ｇ（図３参照）を表示させる装置であって、図１に示すように、インクジェット式プリンタ（以下、「プリンタ」ともいう）１１、画像投影部１２、フィルム送り機構１３、通信モデム１４、記憶装置１５、印刷制御部１６および主制御部１７を備えて構成されている。プリンタ１１は、印刷制御部１６と相俟って本発明における画像印刷部を構成し、印刷制御部１６の制御下で、一例として、８色のカラーインクを噴射して２８８０×１４４０ｄｐｉの解像度で光透過性フィルム１０に広告画像Ｐ１（図２参照）などをカラー印刷する。この場合、この画像投影装置２では、一例として、光透過性フィルム１０における０．７インチ区画（対角線の長さが０．７インチの矩形領域）に広告画像Ｐ１等を印刷するため、壁面３などに鮮明な広告画像Ｇを投影表示するためには、プリンタ１１として、その解像度が１４４０×１４４０ｄｐｉ以上のものを採用するのが好ましい。また、光透過性フィルム１０は、本発明における帯状フィルムに相当し、一例として、幅１３ｍｍで長さ１６ｍｍ（０．７インチ区画に広告画像Ｐ１等を印刷する場合におけるフィルム送りのズレを加味して規定された数値）の樹脂フィルムの表面にインクジェット式のプリンタによる印刷が可能な表面処理が施されてロール状に巻回されている。
【００２３】
画像投影部１２は、ＬＥＤ２１、マルチレンズ２２、投射レンズ２３および傾きセンサ２４を備えて、主制御部１７の制御下で、プリンタ１１によって広告画像Ｐ１等が印刷された光透過性フィルム１０にＬＥＤ２１からの光を透過させて、図３に示すように、壁面３等に広告画像Ｇを投影表示する。この場合、図１に示すように、この画像投影装置２は、マルチレンズ２２と投射レンズ２３との間（本発明における画像投影処理位置）に光透過性フィルム１０における広告画像Ｐ１等の印刷部位を位置させることによって壁面３に広告画像Ｇを投影可能に構成されている。ＬＥＤ２１は、本発明における光源の一例であって、主制御部１７の制御下で点灯させられて白色の光２０ａを射出する。この場合、この画像投影装置２では、光透過率が十分に高い光透過性フィルム１０に光２０ｂを透過させて広告画像Ｇを投影表示する構成が採用されている。したがって、出射光量がある程度少ないＬＥＤ２１であっても十分に明るい広告画像Ｇを投影表示することが可能となっている。なお、ＬＥＤ２１の背面側にはリフレクタや放熱手段等が配設されているが、本発明についての理解を容易とするために、その図示および説明を省略する。マルチレンズ２２は、いわゆるオプティカルインテグレータ（レンズアレイやロッドレンズ等）であって、ＬＥＤ２１からの光２０ａの照度むらや色むらを補正した光２０ｂを光透過性フィルム１０に向けて射出する。投射レンズ２３は、マルチレンズ２２から射出されて光透過性フィルム１０における広告画像Ｐ１等の印刷部位を透過した光２０ｂを拡大して壁面３に向けて光２０ｃを射出する。傾きセンサ２４は、本発明における検出部に相当し、画像投影部１２（画像投影装置２）の傾きを検出して傾きの度合いに応じた検出信号Ｓを印刷制御部１６に出力する。
【００２４】
フィルム送り機構１３は、ロール状に巻回された光透過性フィルム１０の送り出しおよび巻き戻しを実行するためのモータ１３ａ，１３ｂを備えている。この場合、フィルム送り機構１３は、主制御部１７の制御に従って、プリンタ１１によって広告画像Ｐ１が印刷された部位をプリンタ１１による印刷処理位置から画像投影部１２による画像投影処理位置（マルチレンズ２２と投射レンズ２３との間）までの間を移動させる。また、フィルム送り機構１３は、広告画像Ｐ１等の印刷処理時にプリンタ１１のフィルム送り機構として機能して、光透過性フィルム１０を印刷処理の進行状態に応じて小刻みに移動させる。通信モデム１４は、印刷制御部１６と相俟って本発明における画像データ取得部を構成し、公衆回線網５を介して画像データ配信サーバ１に接続して画像データ配信サーバ１から配信された画像データＤｇを取得する。記憶装置１５は、光記録媒体やメモリーカード等のリムーバブルメディアであって、通信モデム１４を介して取得した画像データＤｇ，Ｄｇ・・などを記憶する。
【００２５】
印刷制御部１６は、画像データ配信サーバ１によって配信された画像データＤｇに基づいてプリンタ１１に広告画像Ｐ１等を印刷させるための印刷用データＤｐを生成する。また、印刷制御部１６は、傾きセンサ２４からの検出信号Ｓに応じて画像データＤｇに対する台形歪み補正処理を実行して図４に示す広告画像Ｐ２を印刷可能な印刷用データＤｐ（本発明における補正後画像データの一例）を生成する。さらに、印刷制御部１６は、生成した印刷用データＤｐをプリンタ１１に出力することにより、光透過性フィルム１０に広告画像Ｐ１，Ｐ２等を印刷させる。主制御部１７は、本発明における制御部に相当し、画像投影部１２、フィルム送り機構１３および印刷制御部１６を制御する。
【００２６】
次に、広告表示システムＳ１の全体的な動作について、図面を参照して説明する。なお、画像データ配信サーバ１や画像投影装置２，２・・等の設置作業については既に完了しているものとして説明する。この広告表示システムＳ１では、画像投影装置２の電源が投入された際に、印刷制御部１６が主制御部１７の制御下で通信モデム１４を制御して公衆回線網５を介して画像データ配信サーバ１に接続させる。この際に、画像データ配信サーバ１によって最新の画像データＤｇが配信されているとき（記憶装置１５に記憶されている画像データＤｇよりも新しい画像データＤｇが配信されているとき）には、印刷制御部１６は、画像データ配信サーバ１から配信された画像データＤｇを通信モデム１４を介して受信して記憶装置１５に記憶させる。次いで、印刷制御部１６は、記憶装置１５に記憶させた画像データＤｇに基づいて印刷用データＤｐを生成する。この際に、印刷制御部１６は、画像投影部１２の傾きセンサ２４からの検出信号Ｓに基づいて画像投影部１２に傾きが生じているか否かを判別する。この場合、画像投影部１２に傾きが生じていないとき（画像投影部１２の光軸Ｘが壁面３に対して垂直に交差する状態のとき）には、壁面３に投影表示される広告画像Ｇに台形歪みが生じないため、印刷制御部１６は、図２に示す広告画像Ｐ１を印刷可能な印刷用データＤｐを生成する。
【００２７】
次いで、印刷制御部１６は、印刷用データＤｐの生成が完了した旨を主制御部１７に報知すると共に、生成した印刷用データＤｐをプリンタ１１に出力することにより、光透過性フィルム１０に対する広告画像Ｐ１の印刷を実行させる。この際に、主制御部１７は、フィルム送り機構１３を制御して光透過性フィルム１０を印刷処理時の送り速度でフィルム送りさせる。また、プリンタ１１は、フィルム送り機構１３による光透過性フィルム１０のフィルム送りに応じて、印刷用データＤｐに基づく広告画像Ｐ１を光透過性フィルム１０の表面に印刷する。これにより、図２に示すように、光透過性フィルム１０に対する広告画像Ｐ１の印刷が完了する。続いて、主制御部１７は、フィルム送り機構１３を制御して広告画像Ｐ１の印刷部位をプリンタ１１の位置（印刷処理位置）から画像投影部１２におけるマルチレンズ２２および投射レンズ２３の間（画像投影処理位置）にフィルム送りさせる。この際に、フィルム送り以前に画像投影処理位置にある古い広告画像（図示せず）は、モータ１３ｂの側に巻き取られる。次いで、主制御部１７は、ＬＥＤ２１を点灯させる。この際には、ＬＥＤ２１からの光２０ａをマルチレンズ２２が照度むらや色むらを補正した光２０ｂが光透過性フィルム１０における広告画像Ｐ１の印刷部位を透過して投射レンズ２３から光２０ｃとして壁面３に向けて射出される。したがって、図３に示すように、広告画像Ｇが壁面３における光２０ｃの投射領域に十分に明るく投影表示される。
【００２８】
一方、画像投影部１２に傾きが生じている状態（画像投影部１２の光軸Ｘが壁面３に対して垂直に交差しない状態）では、壁面３に投影表示される広告画像Ｇに台形歪みが生じる。具体的には、例えば、画像投影装置２が天井から吊り下げられて、壁面３に広告画像Ｇを表示するために画像投影部１２が前傾状態（表示条件の一例）となっているときには、広告画像Ｐ１（台形歪み補正されていない画像）を壁面３に投影表示したときに、画像の上辺よりも下辺の方が幅広となる台形歪みが生じる。したがって、印刷制御部１６は、検出信号Ｓに基づいて画像投影部１２が前傾状態であると判別したときには、画像データＤｇに対して台形歪み補正することで図４に示す広告画像Ｐ２（上辺よりも下辺の方が幅狭となるように変形させた画像）を印刷可能な印刷用データＤｐを生成する。また、例えば、画像投影装置２が卓上等に載置されて、壁面３に広告画像Ｇを表示するために画像投影部１２が後傾状態（表示条件の他の一例）となっているときには、広告画像Ｐ１（台形歪み補正されていない画像）を壁面３に投影表示したときに、画像の下辺よりも上辺の方が幅広となる台形歪みが生じる。したがって、印刷制御部１６は、検出信号Ｓに基づいて画像投影部１２が後傾状態であると判別したときには、画像データＤｇに対して台形歪み補正することで下辺よりも上辺の方が幅狭となるように変形させた広告画像（図示せず）を印刷可能な印刷用データＤｐを生成する。以下、画像投影部１２に前傾の傾きが生じているときの動作を例に挙げて説明する。
【００２９】
次いで、印刷制御部１６は、印刷用データＤｐの生成が完了した旨を主制御部１７に報知すると共に、生成した印刷用データＤｐをプリンタ１１に出力することにより、光透過性フィルム１０に対する広告画像Ｐ２の印刷を実行させる。この際に、主制御部１７は、フィルム送り機構１３を制御して光透過性フィルム１０を印刷処理時の送り速度でフィルム送りさせる。また、プリンタ１１は、フィルム送り機構１３による光透過性フィルム１０のフィルム送りに応じて、印刷用データＤｐに基づく広告画像Ｐ１を光透過性フィルム１０の表面に印刷する。これにより、図４に示すように、光透過性フィルム１０に対する広告画像Ｐ２の印刷が完了する。続いて、主制御部１７は、フィルム送り機構１３を制御して広告画像Ｐ２の印刷部位をプリンタ１１による印刷処理位置から画像投影部１２による画像投影処理位置にフィルム送りさせる。次いで、主制御部１７は、ＬＥＤ２１を点灯させる。この際には、ＬＥＤ２１からの光２０ａをマルチレンズ２２が照度むらや色むらを補正した光２０ｂが光透過性フィルム１０における広告画像Ｐ２の印刷部位を透過して投射レンズ２３から光２０ｃとして壁面３に向けて射出される。これにより、図３に示すように、台形歪みが生じていない広告画像Ｇが壁面３に投影表示される。
【００３０】
一方、この画像投影装置２では、光透過性フィルム１０に対して過去に印刷した広告画像（図示せず）を投影表示することもできる。具体的には、例えば、過去に広告画像Ｐ（図示せず）を印刷した印刷部位がモータ１３ｂの側に巻き取られている状態において、主制御部１７がフィルム送り機構１３を制御してモータ１３ｂの側からモータ１３ｂの側に光透過性フィルム１０を巻き戻させて広告画像Ｐの印刷部位を画像投影部１２による画像投影処理位置にフィルム送りさせる。次いで、主制御部１７は、ＬＥＤ２１を点灯させる。この際には、ＬＥＤ２１からの光２０ａをマルチレンズ２２が照度むらや色むらを補正した光２０ｂが光透過性フィルム１０における広告画像Ｐの印刷部位を透過して投射レンズ２３から光２０ｃとして壁面３に向けて射出される。これにより、光透過性フィルム１０に対して過去に印刷された広告画像Ｐが壁面３に広告画像Ｇとして投影表示される。
【００３１】
このように、この画像投影装置２では、画像データＤｇに基づいてプリンタ１１が印刷制御部１６の制御下で光透過性フィルム１０に広告画像Ｐ１，Ｐ２等を印刷し、画像投影部１２が光透過性フィルム１０における広告画像Ｐ１，Ｐ２等の印刷部位にＬＥＤ２１からの光（マルチレンズ２２によって照度むらや色むらを補正した光２０ｂ）を透過させて広告画像Ｇを壁面３などに投影表示する。このため、この画像投影装置２によれば、従来の広告装置とは異なり、スライドフィルム等を送付することなく、画像データＤｇを配布するだけでプリンタ１１によって広告画像Ｐ１等を印刷して広告画像Ｇを投影表示することができる。したがって、投影表示させる広告画像Ｇを容易に変更することができる。また、光変調素子を有する液晶ビデオプロジェクタを採用している従来の店頭ディスプレイ装置とは異なり、光変調素子による電力消費量の分だけ削減されるので広告画像Ｇの表示に要するコストを低減することができる。さらに、画像投影装置２が液晶ビデオプロジェクタよりも十分に安価のため広告画像Ｇの表示に要するコストを一層低減することができる。
【００３２】
また、この画像投影装置２では、主制御部１７がフィルム送り機構１３（モータ１３ａ，１３ｂ）を制御して広告画像Ｐ１，Ｐ２等の印刷部位を少なくとも印刷処理位置（プリンタ１１の位置）から画像投影処理位置（画像投影部１２におけるマルチレンズ２２および投射レンズ２３の間）までの間を移動させる。したがって、この画像投影装置２によれば、例えばプリンタ１１によって広告画像Ｐ１の印刷が完了した後に光透過性フィルム１０を印刷処理位置から画像投影処理位置まで手動で移動させる構成と比較して、投影表示させる広告画像Ｇを一層容易に変更することができる。この場合、この画像投影装置２では、プリンタ１１が帯状の光透過性フィルム１０に広告画像Ｐ１，Ｐ２等を印刷する。これにより、この画像投影装置２によれば、例えば、シート状の光透過性フィルムに広告画像Ｐ２を印刷する構成と比較して、フィルム送り機構によるフィルム送りを容易に実施することができる。さらに、この画像投影装置２では、印刷制御部１６が台形歪み補正した状態で広告画像Ｇが投影表示されるように画像データＤｇを補正処理して印刷用データＤｐを生成して、プリンタ１１が印刷用データＤｐに基づく広告画像Ｐ２を光透過性フィルム１０に印刷する。このため、この画像投影装置２によれば、例えば、設置環境の統一を図るのが困難な全国各地のチェーン店において、見た目が同じ広告画像Ｇを表示させることができる。また、この画像投影装置２では、印刷制御部１６が傾きセンサ２４からの検出信号Ｓに応じて画像データＤｇを補正処理する。したがって、この画像投影装置２によれば、例えば、画像投影装置２の傾きに応じて台形歪み補正量を手動で設定して広告画像Ｐ２等を印刷させる構成と比較して、台形歪みのない広告画像Ｇを容易に投影表示させることができる。
【００３３】
さらに、この画像投影装置２では、印刷制御部１６が通信モデム１４を介して取得した画像データＤｇに基づいて光透過性フィルム１０に広告画像Ｐ１等を印刷させる。このため、この画像投影装置２によれば、例えば、画像投影装置２の管理者（この例では、チェーン店の従業員）がパソコン等を用いて画像データ配信サーバ１から画像データＤｇを受信して画像投影装置２の記憶装置１５に記憶させて印刷および表示させるのとは異なり、画像投影装置２単体で画像データＤｇの取得から広告画像Ｇの投影表示までの一連の処理を実行することができる。したがって、上記の例におけるパソコン等の設備を不要にできる結果、広告画像Ｇの表示に要するコストをさらに低減することができる。
【００３４】
なお、本発明は、上記の構成に限定されない。例えば、上記の画像投影装置２では、本発明における光源として白色のＬＥＤ２１を採用しているが、本発明はこれに限定されず、赤色ＬＥＤ、緑色ＬＥＤおよび青色ＬＥＤの３色のＬＥＤを採用してこれらからの光を合成することで白色の光２０ａを射出することもできる。この場合、本発明における光源は、ＬＥＤに限定されず、各種のランプを採用することもできる。また、上記の画像投影装置２では、インクジェット式プリンタ１１で光透過性フィルム１０に広告画像Ｐ１等を印刷する構成を採用しているが、本発明における画像印刷部を構成するプリンタとしては、インクジェット式のプリンタに限定されず、昇華型のプリンタや、カラーレーザービーム式プリンタなどを採用することもできる。さらに、本発明における投影対象体としては、上記の壁面３やウィンドウ４に限定されず、床面や専用のスクリーン等も含まれる。また、上記の画像投影装置２では、プリンタ１１による印刷処理時、および印刷が完了した光透過性フィルム１０の印刷処理位置から画像投影処理位置までの間の移動時の双方においてフィルム送り機構１３によって光透過性フィルム１０をフィルム送りする構成を採用しているが、本発明はこれに限定されず、印刷処理時に光透過性フィルム１０またはプリンタ１１のいずれかを移動させる移動機構（印刷用移動機構）と、印刷完了後に光透過性フィルム１０を印刷処理位置から画像投影処理位置まで移動させる移動機構とを別個に設けることもできる。
【００３５】
また、上記の画像投影装置２では、印刷制御部１６が傾きセンサ２４からの検出信号Ｓに応じて画像投影部１２の傾き量および傾き方向に応じた台形歪み補正を実行する構成を採用しているが、本発明はこれに限定されない。例えば、傾きの状態を入力操作する操作部を設け、台形歪み補正確認用の基準画像（図示せず）を投影表示させた状態で、投影表示された画像が矩形となるように操作部を操作することによって投影対象体に対する画像投影部１２の傾きの状態を印刷制御部１６に特定させるように構成することができる。この構成によれば、例えば、壁面３に対して向かって右側から光２０ｃを投射するような設置環境（表示条件の他の一例）において、図５に示すように右辺よりも左辺の方が幅狭となるように変形させた広告画像Ｐ３を印刷可能な印刷用データＤｐを印刷制御部１６に生成させて、図３に示すように、台形歪みのない矩形の広告画像Ｇを壁面３に投影表示させることができる。また、投影対象体に対する画像投影部１２の傾きを特定させる方法としては、上記の傾きセンサ２４の検出に基づく方法や、操作部を操作することによる手動設定による方法に限定されない。例えば、各種の測距装置を用いて投影対象体（スクリーン等）における例えば４つの角部までの距離を測定させることで投影対象体に対する画像投影部１２の傾きを特定させることができる。
【００３６】
また、壁面３のベースの色（表示条件の他の一例）によっては、壁面３に投影表示される広告画像Ｇの色調を補正して印刷用データＤｐを生成することができる。この場合、本発明における表示条件としては、画像投影装置２の傾きや壁面３のベースの色等に限定されず、投影対象体（壁面３等）に対する画像の表示に拘わる各種の条件（画像投影装置２側の条件、および投影対象体側の条件の双方を含む表示条件）がこれに含まれる。加えて、本発明に係る画像投影装置および画像投影システムによって投影表示される画像としては、広告用の広告画像Ｇに限定されず、カレンダーやポスター等の個人利用者向けの各種画像が含まれる。また、上記画像投影装置２では、画像データの取得方法として通信モデムを内蔵し公衆回線網を介して画像データ配信サーバーに接続する方式を採用しているが、本発明はこれに限定されない。例えば、既存のパソコン等からメモリーカードなどの記憶媒体を利用し画像データを取得出来るよう構成することもできる。この場合上記の歪み補正画像作成についてもパソコン上ソフトで処理することが可能となり、さらに画像投影装置２のコストを下げることが可能である。
【図面の簡単な説明】
【００３７】
【図１】広告表示システムＳ１の構成を示すブロック図である。
【図２】広告画像Ｐ１が印刷されたフィルム１０の平面図である。
【図３】壁面３に表示された広告画像Ｇの表示画像図である。
【図４】広告画像Ｐ２が印刷されたフィルム１０の平面図である。
【図５】広告画像Ｐ３が印刷されたフィルム１０の平面図である。
【符号の説明】
【００３８】
１  画像データ配信サーバ、２  画像投影装置、３  壁面、４  ウィンドウ、５  公衆回線網、１０  光透過性フィルム、１１  インクジェット式プリンタ、１２  画像投影部、１３  フィルム送り機構、１４  通信モデム、１５  記憶装置、１６  印刷制御部、１７  主制御部、２０ａ〜２０ｃ  光、２１  ＬＥＤ、２４  傾きセンサ、Ｄｇ  画像データ、Ｄｐ  印刷用データ、Ｇ  広告画像、Ｐ１〜Ｐ３  広告画像、Ｓ  検出信号、Ｓ１  広告表示システム
【図１】
2006047610.tif 000003
【図２】
2006047610.tif 000004
【図３】
2006047610.tif 000005
【図４】
2006047610.tif 000006
【図５】
2006047610.tif 000007